(57)【要約】【課題】制御された濃度比のホルムアルデヒドと水蒸気の混合気体を発生するホルムアルデヒド発生装置を提供する。【解決手段】飽和ホルマリン容液を内蔵するホルマリンタンク３と、ホルマリンタンク３から所定量の飽和ホルマリン溶液を輸送する定量ポンプ４と、水を貯水する水タンク１から所定量の水を輸送する定量ポンプ２と、それぞれの定量ポンプから所定量の飽和ホルマリン溶液と水とを導入して気化するための気化用ヒータ６を有する気化槽８と、を備え、ホルムアルデヒドと水蒸気を所定の比率で発生させる。【選択図】図１
2006122165.tif 000002
【特許請求の範囲】
【請求項１】
飽和ホルマリン容液を内蔵するホルマリンタンクと、
該ホルマリンタンクから所定量の飽和ホルマリン溶液を輸送する定量ポンプと、
水を貯水する水タンクから所定量の水を輸送する定量ポンプと、
それぞれの定量ポンプから所定量の飽和ホルマリン溶液と水とを導入して気化するための気化用ヒータを有する気化槽と、
を備え、ホルムアルデヒドと水蒸気を所定の比率で発生させることを特徴とするホルムアルデヒド発生装置。
【請求項２】
前記気化槽の内部に気化効率を上げるためにホルムアルデヒドに対して耐食性のある金属で構成された気化用ブラシを持つことを特徴とする請求項１に記載のホルムアルデヒド発生装置。
【請求項３】
前記気化槽にてホルムアルデヒドガスの発生後、前記水タンクから水のみを気化槽に導入して気化して前記気化槽内部の洗浄を行うことを特徴とする請求項１に記載のホルムアルデヒド発生装置。
【請求項４】
飽和ホルマリン容液を内蔵するホルマリンタンクと、水を貯水する水タンクを有し、
使用する被滅菌室等の滅菌等に最適のホルムアルデヒド量と水蒸気量を予め求め、
前記ホルマリンタンクと水タンクより、
当該ホルムアルデヒド量に対応するホルマリン溶液と当該ホルマリン溶液に含まれる水蒸気量で不足する水蒸気量に対応する水とを同時に気化槽にて混合して、所望の水蒸気量を含有するホルムアルデヒドガスを発生するホルムアルデヒド発生方法。
【発明の詳細な説明】
【技術分野】
【０００１】
本発明は、滅菌装置又は殺菌装置又は消毒装置に使用するホルムアルデヒド発生装置及びホルムアルデヒド発生方法に関し、より詳細には、滅菌又は殺菌又は消毒に適する濃度のホルムアルデヒドと適する湿度の混合気体を発生する技術に関する。
【背景技術】
【０００２】
従来のホルムアルデヒド発生装置は、ホルムアルデヒドガス発生装置で発生させたホルムアルデヒドに対して湿度センサで測定した値を元に湿度調節器で加湿することでホルムアルデヒドと水蒸気を一定の比率に制御している。（例えば、特許文献１）
【特許文献１】国際公開第０１／０２６６９７号パンフレット
【発明の開示】
【発明が解決しようとする課題】
【０００３】
しかしながら、前記従来の構成では、ホルムアルデヒドガス発生装置で発生させたホルムアルデヒドに対してホルムアルデヒドと水蒸気を一定の比率に制御するために、湿度センサとそれで測定した値に基づいて加湿するための湿度調節器を必要とし、また装置サイズが大きくなるという課題を有していた。
【０００４】
本発明は、前記従来の課題を解決するもので、定量出来るホルムアルデヒドと定量出来る水蒸気の一定比率の混合気体を発生させうるホルムアルデヒド発生装置を提供することを目的とする。
【課題を解決するための手段】
【０００５】
従来の課題を解決するために、本発明のホルムアルデヒド発生装置は、飽和ホルマリン容液を内蔵するホルマリンタンクと、該ホルマリンタンクから所定量の飽和ホルマリン溶液を輸送する定量ポンプと、水を貯水する水タンクから所定量の水を輸送する定量ポンプと、それぞれの定量ポンプから所定量の飽和ホルマリン溶液と水とを導入して気化するための気化用ヒータを有する気化槽と、を備え、ホルムアルデヒドと水蒸気を所定の比率で発生させることを特徴としたものである。
【０００６】
また、本発明のホルムアルデヒド発生方法は、飽和ホルマリン容液を内蔵するホルマリンタンクと、水を貯水する水タンクを有し、使用する被滅菌室等の滅菌等に最適のホルムアルデヒド量と水蒸気量を予め求め、前記ホルマリンタンクと水タンクより、当該ホルムアルデヒド量に対応するホルマリン溶液と当該ホルマリン溶液に含まれる水蒸気量で不足する水蒸気量に対応する水とを同時に気化槽にて混合して、所望の水蒸気量を含有するホルムアルデヒドガスを発生する。
【発明の効果】
【０００７】
本発明のホルムアルデヒド発生装置によれば、滅菌又は殺菌又は消毒に使用する室の体積に応じ、もっとも効果の高い濃度のホルムアルデヒドともっとも効果の高い湿度の水蒸気の混合気体を小型の装置で発生することができる。
【発明を実施するための最良の形態】
【０００８】
以下に、本発明のホルムアルデヒド発生装置及びホルムアルデヒド発生方法の実施の形態を図面とともに詳細に説明する。
【実施例１】
【０００９】
図１は、本発明の第１の実施例１におけるホルムアルデヒド発生装置の全体の概略構成を示す。
【００１０】
図１において、滅菌又は殺菌又は消毒に使用する室の体積に応じ、もっとも殺菌又は滅菌効果の高い濃度のホルムアルデヒド量を事前に求めておく。そして、そのホルムアルデヒド量に応じた量のホルマリン溶液をホルマリンタンク３から定量ポンプ４を通じ気化槽８に導入する。滅菌又は殺菌又は消毒に使用する室（以下、被滅菌室等という。）の体積と温度に応じ、もっとも殺菌又は滅菌効果の高い湿度を得るために必要な水蒸気量を事前に求めておく。そして、その水蒸気量に対してホルマリン溶液に含まれる水分では不足する量を水タンク１から定量ポンプ２を使用してホルマリン溶液と同時に気化槽８に導入して必要な水蒸気量を被滅菌室等に供給する。
【００１１】
即ち、滅菌或いは殺菌をしようとする被滅菌室等にもっとも殺菌効果又は滅菌効果の高いホルムアルデヒドの濃度と量及び湿度を予め求めておき、それに対応するホルマリン溶液と水の量をそれぞれホルマリンタンク３と水タンク１から独立に気化槽８に供給して所定の濃度のホルムアルデヒドと水蒸気の混合気体を被滅菌室等に供給するものである。
【００１２】
具体的には、滅菌室等の体積を１立方メートル、滅菌温度４０度、滅菌時の湿度８０％、滅菌動作前の滅菌室の水分量１０ｇ（室温２５度の時の湿度５０％に相当）、滅菌時のホルムアルデヒド濃度１０００ｐｐｍの場合では、滅菌動作に必要な追加の水分量は３０ｇ、ホルムアルデヒド量は１ｇとなる。局方ホルマリン溶液を使用する場合はホルマリン濃度が約３８％、メタノール約８％なので、約３立方センチの局方ホルマリン溶液と約２８立方センチの水を気化させ、滅菌室に導入することで滅菌条件を満足できる。
【００１３】
即ち、飽和ホルマリン溶液である３８％のホルマリン原液を内蔵するホルマリンタンク３と、水タンク１からの水とを別個独立に用意し、気化用ブラシ８を用いて所望の水蒸気量を含有するホルムアルデヒドの混合ガスを発生させて被滅菌室等での滅菌、殺菌に適した所望の水蒸気量を含むホルムアルデヒドを、供給するものである。
【００１４】
図２は、本発明の第１の実施例における気化槽８の拡大図を示す。
【００１５】
図２において、円筒形の気化槽８内部に通した気化用ヒーター６の回りにステンレス製の気化用ブラシ５を接触した状態で巻き付け、気化用ヒーター６で気化用ブラシ５を、ホルマリンタンク３からのホルマリン溶液と水タンク１からの水の両方が気化する温度である１００度程度に加熱する。気化用ブラシ５は、ステンレス製の気化用ブラシ部１０とその芯部６からなり、それらが一体となってヒータ６により当該ブラシ部が高温になり、気化用ヒーター６単体の時よりも体積当たりの液体に接触する接触面積を増やし、高効率で液体をホルムアルデヒドと水蒸気の混合ガス９に気化させる。また、体積当たりの気化効率が高まることで、ホルマリン発生装置を小型化することができ、気化槽８を例えば３センチ×３センチ×９センチ程度のタバコの箱程度の大きさで構成することが可能になる。この場合、ブラシの芯部分１１は気化用ブラシ部１０を保持するために有り、一体となって気化用ブラシ５を構成する。
【００１６】
また、本実施例１において、水タンク１をホルマリンタンク３を別個独立に設けているので、滅菌又は殺菌又は消毒動作が終了した後、気化槽８内部に、水タンク１からの水だけを導入し気化する動作を行うことで、気化用ブラシ５のブラシ間などにホルムアルデヒド重合体などの析出した粉状物を再度溶解させて、気化用ブラシ５の洗浄を行い、目詰まりを防止することができる。
【００１７】
即ち、滅菌又は殺菌又は消毒動作中に気化槽８内部で局所的にホルマリン濃度が高まり、その結果気化ブラシ５付近に析出したホルムアルデヒド重合体の残留粉末を水に再度溶解させるために、水タンク１から水のみを導入し、その水と共に気化槽８にて気化させることで、気化槽８内部にホルムアルデヒド残留物を残さない動作をさせて、残留物の堆積による気化用ブラシ５のブラシ間の詰まりなどによる気化槽８の詰まりなどを防止することが出来る。
【００１８】
定量ポンプ２と定量ポンプ４と気化用ブラシ５と気化槽８は耐食性のあるステンレスなどの金属で構成し、気化用ヒーター６はセラミックヒーターなどを使用することが出来るが、使用する物質にホルムアルデヒド及び水に対する耐食性が有れば材質を限定する物ではなく、例えば金メッキをした金属を使用しても良い。
【産業上の利用可能性】
【００１９】
本発明にかかるホルムアルデヒド発生装置及びホルムアルデヒド発生方法は、ホルマリンタンクと水タンクを別個独立に備えて、それぞれ一定濃度のホルマリンと水をそれぞれ定量ポンプを使用して気化槽に送り込み、必要量のホルムアルデヒドと水蒸気を気化槽に同時に発生する構成を有し、滅菌又は殺菌又は消毒に使用するホルムアルデヒド発生装置等として有用である。
【００２０】
本発明にかかるホルムアルデヒド発生装置は、小型の発生装置が必要な混合気体発生装置等の用途にも適用できる。
【図面の簡単な説明】
【００２１】
【図１】本発明の実施例１におけるホルムアルデヒド発生装置の構成図
【図２】気化槽内部を模式的に説明するための気化槽の拡大図
【符号の説明】
【００２２】
１  水タンク
２  定量ポンプ
３  ホルマリンタンク
４  定量ポンプ
５  気化用ブラシ
６  気化用ヒーター
７  ノズル
８  気化槽
９  発生したホルムアルデヒドと水蒸気の混合気体
１０  気化用ブラシ部
１１  気化用ブラシの芯部
【図１】
2006122165.tif 000003
【図２】
2006122165.tif 000004